(57)【要約】【課題】    従来の制作者が一人で制作するツリー型のストーリーゲームにおいては、制作者が全てのストーリーの分岐について予め文章を用意し、ストーリーの展開を準備しておく必要があった。また複数の作家により文章が執筆される場合に、その内容を評価する管理者、編集者、監督などが必要であった。【解決手段】    本発明では図１のようなツリー型のストーリーを制作し、ストーリーの小節ごとに作家を分け執筆し、複数の読者により小節ごとに評価を行うことで、多人数によるストーリーの制作を実現することができる。ストーリーの開始部分を一人の作家が執筆し、さらに続きのストーリーを他の作家が執筆する。この際にオンライン上で作家が書いたものを、複数の読者が評価することで新しい小節部分の評価を得ることが出来、その評価を元に新しい小節が不適切な場合に削除したり、また評価の高い面白い選択肢を優先的に表示することなどが出来、複数の作家と複数の読者により、ツリー型のストーリーを制作し閲覧する手段を提供できる。【選択図】図１
2008171374.tif 000002
【特許請求の範囲】
【請求項１】
オンラインにて多人数でツリー型に分岐するストーリーを制作したり読むことを実現する方法やプログラム並びに装置。
【請求項２】
オンラインにて多人数でツリー型に分岐するストーリーを制作したり読むことを実現する場合に、分岐するストーリーの選択肢および内容を、参加者による明示的な評価により、削除したり、人気の高い選択肢を優先的に上位に表示する方法並びにプログラム並びに装置。
【請求項３】
請求項２において、参加者による明示的な評価ではなく、ストーリーを選択するときの選択肢により良い評価とする、ストーリーの続きが多く書かれた選択肢は高い評価とする、読んだストーリーから前のストーリーに戻る操作は悪い評価とする、とすることで、ストーリーの評価を暗示的に行い、ストーリーを並び替えたり削除することを行う方法並びにプログラム並びに装置。
【請求項４】
オンラインにて多人数でツリー型に分岐するストーリーを制作したり読むことを実現する場合に、新しく生成されたストーリーの枝である小節の評価が良いものであると判定するまで、続きの枝である小節が書かれないことにより、無駄な小節が追加されることを防ぐ方法並びにプログラム並びに装置。
【請求項５】
オンラインにて多人数でツリー型に分岐するストーリーを制作したり読むことを実現する場合に、ストーリーを創作していく作家群のランキングを行い、それにより選択肢を並び替えたり、評価が高い作家により軸となるストーリーを書いてもらうことにより、ストーリーのツリー全体の品質ならびにストーリーの方向性をコントロールする方法並びにプログラム並びに装置。
【請求項６】
オンラインにて多人数でツリー型に分岐するストーリーを制作したり読むことを実現する場合に、ストーリーの設定資料を表示し、ストーリー中の単語を設定資料に基づき自動変換することや、新しい小節の執筆の際に設定資料集を表示し、広告主の意図通りに商品を主題としたストーリーを構築したり、主題通りのストーリーを制作する方法並びにプログラム並びに装置。
【請求項７】
オンラインにて多人数でツリー型に分岐するストーリーを制作したり読むことを実現する場合に、選択肢に参加者の投票数や評価を表示することで、人気のある選択肢がどれであるかを方法並びにプログラム並びに装置。
【発明の詳細な説明】
【発明の詳細な説明】
【技術分野】
【０００１】  本発明は、複数の参加者が参加するオンラインゲームやオンラインサービスの技術に関する。
【背景技術】
【０００２】  従来の制作者が一人で制作するツリー型のストーリーゲームや、一つのストーリーを展開していくために一人で全ての文章を制作する小説なとがある。
【発明が解決しようとする問題】
【０００３】  従来の制作者が一人で制作するツリー型のストーリーゲームにおいては、制作者が全てのストーリーの分岐について予め文章を用意し、ストーリーの展開を準備しておく必要があった。
【０００４】  また複数の作家により文章が執筆される場合に、その内容を評価する管理者、編集者、監督などが必要であった。
【課題を解決するための手段】
【０００５】  上記の課題を解決するべく、本発明ではツリー型のストーリーを制作し、ストーリーの小節ごとに作家を分け執筆し、複数の読者により小節ごとに評価を行うことで、多人数によるストーリーの制作を実現することができる。
【０００６】  実現するための手段として、まずストーリーの開始部分を一人の作家が執筆する。さらに続きのストーリーを他の作家が執筆する。この際にオンライン上で作家が書いたものを、複数の読者が評価することで新しい小節部分の評価を得ることが出来、その評価を元に新しい小節が不適切な場合に削除したり、また評価の高い面白い選択肢を優先的に表示することなどが出来る。
【０００７】  上記を実現するにあたり、複数の読者によりストーリーの続きを選択する際に、参加者による明示的な評価ではなく、ストーリーを選択するときの選択肢により良い評価とする、ストーリーの続きが多く書かれた選択肢は高い評価とする、読んだストーリーから前のストーリーに戻る操作は悪い評価とする、とすることで、ストーリーの評価を暗示的に行い、ストーリーを並び替えたり削除することを行うことが可能となる。
【０００８】  また、本発明によれば上記の方法をコンピュータシステムに実行させるプログラムやデータを記録したコンピュータ読み取り可能な記録媒体を提供することができる。
コンピュータ読み取り可能な記録媒体として、例えば、光記録媒体（ＣＤ−ＲＯＭ、ＤＶＤ−ＲＯＭ、ＤＶＤ−ＲＡＭ、ＤＶＤ−Ｒ、ＤＶＤ＋Ｒ、ブルーレイディスク、ＰＤディスク、ＭＤディスク、ＭＯディスク等の光学的にデータの読み取りが可能な記録媒体）や、磁気記録媒体（ハードディスク、フレキシブルディスク、磁気カード、磁気テープ等の磁気的にデータの読み取りが可能な記録媒体）、或いは、半導体メモリ（ＤＲＡＭ等）や光メモリ等の記憶素子を備えたメモリカートリッジ等の可搬性記録媒体の他に、コンピュータ内部或いはメモリカード等に設けられる内部記憶装置、或いはハードディスクのような外部記憶装置等がある。
【０００９】（ネットワークへの拡張）
また、これらのプログラムを通信回線に接続し、通信回線を介してプログラムを提供することができ、オンライン上で複数の読者と複数の作家により、一つの大きなストーリーを制作し展開することが可能となる。
【発明を実施するための最良の形態】
【００１０】  以下、各図を参照して本実施形態について説明する。【００１１】  図１は本発明を実施する場合の多人数の作家により執筆されるツリー型のストーリーの例である。同図において、それぞれの小節は複数の作家により執筆されており、また読者はそれぞれの小節ごとに自分の好きなストーリーの続きを選択し、次の小節に進み異なるストーリーを楽しむことができる。【００１２】  図２は、複数の作家により新しい小節が追加された時に、多人数の読者により評価を行う仕組みである。【００１３】  まず作家により新しいストーリーの分岐の枝となる小節が執筆され、小節が追加される。その際に、多人数の読者による文章の評価集計装置装置（１０）による文章の評価が行われ、文章が不適切な場合は削除される。また文章が面白い場合には新しい小節として認められ、新しいストーリーの枝となる小節として確定する。【００１４】  また読者が文章を評価した内容は記録され、読者が選択肢を選ぶ際に選択の参考に使われる。
【実施例】  以下、本発明の実施例を説明する。【００１５】  本発明を、オンライン上で展開する多人数の参加者が参加しツリー型に分岐するストーリー制作に用いた場合、図１のような形でストーリーが展開し、読者として参加する場合は、様々なストーリーを楽しむことが出来ると共に、時間が経つごとに広がっていくストーリーの世界を楽しむことができる。また小節ごとに人気のある分岐を楽しんだり、複数の作家により執筆された違う物語展開を楽しむことが出来る。【００１６】  また作家として参加する場合は、ストーリーの途中である任意の点で新しくストーリーを追加し、自分の考えるより面白いストーリーの続きを追加することが出来る。また追加された文章は複数の読者により評価され、一定率以上の評価が得られた場合には、新しくストーリーの分岐の枝として認められ、ストーリー全体の一部を自分の考えたストーリーで埋めることが出来る。【００１７】  本発明は、狭義における小説の執筆や閲覧以外にも、例えば、映画の脚本やビジネス書等にも利用可能である。
【発明の効果】
【００１８】  本発明によれば、オンライン上でストーリーを制作したり閲覧するサービスを行う場合に、最初から長いストーリーや面白いストーリーを用意する必要がなく、また複数の作家により小説が執筆される場合にその評価を行うことを一人の管理者、編集者、監督が行う必要がなく、ストーリーを制作するコストを大幅に削減できる。また、ストーリーを閲覧する読者として参加する場合は、最初から決まったストーリーだけではなく多くの展開や可能性をもつストーリーを楽しむことが出来、娯楽性が飛躍的に向上する。
【図面の簡単な説明】
【図１】本発明により生成されるツリー型のストーリーの例
【図２】本発明により新しく小節が追加された場合に読者に評価される仕組み
【符号の説明】
１０…多人数の読者による文章の評価集計装置装置
【図１】
2008171374.tif 000003
【図２】
2008171374.tif 000004